(57)【要約】      （修正有）【課題】収容する物品のサイズや形状に柔軟に対応することができ、作成や設置が容易で、物品への振動や衝撃を緩和し、物品の移動を規制して破損を防止する保持材を提供する。【解決手段】板状部材で形成し、載置部５１と、下面部３１と、上面部２１と、上面部２１に基部を有し、基部から起倒自在な保持部２３と、下面部３１と上面部２１とを対向させた状態で固定する固定部（固定手段）と、を有する保持材１であって、載置部５１に物品を載せ、少なくとも２つの保持部３１を起立し対向させて、保持部２３間で物品Ａを保持する。【選択図】図３
0003230134.tif 000002
【実用新案登録請求の範囲】
【請求項１】
板状部材で形成し、載置部と、下面部と、上面部と、当該上面部に基部を有し、当該基部から起倒自在な保持部と、前記下面部と前記上面部とを対向させた状態で固定する固定手段と、を有する保持材であって、前記載置部に物品を載せ、少なくとも２つの前記保持部を起立し対向させて、前記保持部間で前記物品を保持することを特徴とする保持材。
【請求項２】
前記載置部を前記下面部と前記上面部との間に収容することを特徴とする、請求項１に記載する保持材。
【請求項３】
前記載置部を前記下面部に有することを特徴とする、請求項１に記載する保持材。
【請求項４】
前記基部は折曲部を有し、当該折曲部は、前記保持部側又は前記保持部とは反対側に膨らむ形状であることを特徴とする、請求項１から請求項３のいずれか一項に記載する保持材。
【請求項５】
前記保持材を外箱に収容して前記物品を保持することを特徴とする、請求項１から請求項４のいずれか一項に記載する保持材。
【請求項６】
前記物品は円筒形状であって、前記保持部の自由端に、前記保持部が倒伏した状態で前記円筒形状の物品の側部に当接する頂部と、当該頂部から傾斜する傾斜部とで山形状を形成し、前記保持部を隣接させ、隣接する傾斜部で谷部を形成することを特徴とする、請求項１から請求項５のいずれか一項に記載する保持材。
【請求項７】
前記物品は帯状部材で囲まれたケーキであることを特徴とする、請求項１から請求項６のいずれか一項に記載する保持材。
【考案の詳細な説明】
【技術分野】
【０００１】  本考案は、物品への振動や衝撃を緩和し、物品の移動を規制して破損を防止する保持材に関する。
【背景技術】
【０００２】  従来から、例えばケーキ等のように型崩れを起こしやすいものの運送に使用する包装用容器では、様々な提案がなされている。例えば、デコレーションケーキを包被、固定して振動、衝撃から商品を保護するための包装体の提案においては、浅いトレー状の身箱と、被せ蓋とで外箱を構成し、被せ蓋の内面に内接する支持板を組み合わせるとともに、この支持板の中央部に円形の切欠孔を形成し、この切欠孔の内側にはデコレーションケーキを包囲する円筒形の周面保護部材を密接に嵌め込んで、商品を保護している（特許文献１参照。）。
【先行技術文献】
【特許文献】
【特許文献１】特開第２００１−３２２６２９号公報
【０００３】  しかしながら、特許文献１に記載する包装箱では、支持板に形成した切欠孔を円筒形の周面保護部材に密接に嵌め込んで商品を保護するため、円筒のサイズと切欠孔のサイズとが密接となるように形成しなければならず、デコレーションケーキのサイズや形状が複数ある場合には、サイズや形状に対応した形態の切欠孔を有する支持板がそれぞれ必要となり、作成の手間が煩雑でコストも高額となる。また、それぞれの支持板を周面保護部材に密接に嵌め込む手間も煩雑である。
【考案の概要】
【考案が解決しようとする課題】
【０００４】  本考案は、上記問題を解決すべくなされたものである。本考案の目的は、収容する物品のサイズや形状に柔軟に対応することができ、作成や設置が容易で、物品への振動や衝撃を緩和し、物品の移動を規制して破損を防止する保持材の提供である。
【課題を解決するための手段】
【０００５】  本考案の解決しようとする課題は以上の如くであり、次にこの課題を解決するための手段を説明する。【０００６】  第１の考案では、板状部材で形成し、載置部と、下面部と、上面部と、当該上面部に基部を有し、当該基部から起倒自在な保持部と、前記下面部と前記上面部とを対向させた状態で固定する固定手段と、を有する保持材であって、前記載置部に物品を載せ、少なくとも２つの前記保持部を起立し対向させて、前記保持部間で前記物品を保持することを特徴とする保持材である。【０００７】  第２の考案では、第１の考案であって、前記載置部を前記下面部と前記上面部との間に収容することを特徴とする保持材である。【０００８】  第３の考案では、第１の考案であって、前記載置部を前記下面部に有することを特徴とする保持材である。【０００９】  第４の考案では、第１から第３のいずれかの考案であって、前記基部は折曲部を有し、当該折曲部は、前記保持部側又は前記保持部とは反対側に膨らむ形状であることを特徴とする保持材である。【００１０】  第５の考案では、第１から第４のいずれかの考案であって、前記保持材を外箱に収容して前記物品を保持することを特徴とする保持材である。【００１１】  第６の考案では、第１から第５のいずれかの考案であって、前記物品は円筒形状であって、前記保持部の自由端に、前記保持部が倒伏した状態で前記円筒形状の物品の側部に当接する頂部と、当該頂部から傾斜する傾斜部とで山形状を形成し、前記保持部を隣接させ、隣接する傾斜部で谷部を形成することを特徴とする保持材である。【００１２】  第７の考案では、第１から第６のいずれかの考案であって、前記物品は帯状部材で囲まれたケーキであることを特徴とする保持材である。
【考案の効果】
【００１３】  本考案の効果として、以下に示すような効果を奏する。【００１４】  第１の考案によれば、少なくとも２つの保持部を起立し対向させるという簡単な作業で、物品を保持して物品への振動や衝撃を緩和し、物品の移動を規制して破損を防止することができる。さらに、保持部は起倒可能に物品を保持するため、収容する物品のサイズや形状に柔軟に対応することができる。【００１５】  第２の考案によれば、載置部を保持材の下面部と上面部との間に収容して保持部を起立し対向させるだけで簡単に物品を保持することができる。【００１６】  第３の考案によれば、対向する保持部間の距離を保って物品を安定して保持することができる。【００１７】  第４の考案によれば、折曲部が前記保持部側又は前記保持部とは反対側に膨らむ形状であるため、保持部が物品を保持する側に倒れる力が強く、物品を押圧して保持しやすい。【００１８】  第５の考案によれば、保持材を外箱に収容して物品を保持するため、より一層、物品への振動や衝撃を緩和し、物品の移動を規制して破損を防止することができる。【００１９】  第６の考案によれば、保持部が倒伏した状態で円筒形状の物品の側部に当接させると、頂部から谷部へと円筒形状の物品の側部を滑動し、スムーズに保持部が立ち上がるため、保持部を起立させる手間がなくなり、簡単な作業で物品を保持することができる。【００２０】  第７の考案によれば、保持材に挟持される物品は帯状部材で囲まれたケーキであり、型崩れの防止が重要課題で、サイズや形状の種類が豊富であるケーキの持ち運びや運送において、特に有用である。
【図面の簡単な説明】
【００２１】
【図１】保持材１の平面図。
【図２】（ａ）保持材１の一部である展開体１１の組み立て途中を示す平面図。（ｂ）展開体１１の組み立てた状態を示す、下面部３１・固定部（固定手段）４１側から見た平面図。（ｃ）展開体１１の組み立てた状態を示す、上面部２１側から見た平面図。
【図３】（ａ）（ｂ）デコレーションケーキＡを保持材１で保持する途中を示す斜視簡略図。
【図４】保持材１でデコレーションケーキＡを保持した状態を示す斜視簡略図。
【図５】（ａ）保持材１でデコレーションケーキＡを保持した状態を示す正面簡略図。（ｂ）保持材１でデコレーションケーキＡを保持した状態を示す平面簡略図。
【図６】（ａ）保持材１でデコレーションケーキＢを保持した状態を示す正面簡略図。（ｂ）保持材１でデコレーションケーキＢを保持した状態を示す平面簡略図。
【図７】（ａ）保持材１でデコレーションケーキＣを保持した状態を示す正面簡略図。（ｂ）保持材１でデコレーションケーキＣを保持した状態を示す平面簡略図。
【図８】（ａ）デコレーションケーキＡを保持材１００で保持した状態示す斜視簡略図。（ｂ）保持材１００の一部である展開体１１１を示す平面図。
【図９】（ａ）デコレーションケーキＡを保持材２００で保持した状態示す斜視簡略図。（ｂ）保持材２００の展開体２１１を示す平面図。
【図１０】（ａ）デコレーションケーキＡを保持材３００で保持した状態示す斜視簡略図。（ｂ）保持材３００の一部である載置部３５１を示す斜視簡略図。（ｃ）保持材３００の一部である展開体３１１を示す平面簡略図。
【図１１】（ａ）保持材４００の一部である展開体４１１を示す平面図。（ｂ）展開体４１１の組み立て完成を示す、下面部４３１側から見た平面図。（ｃ）展開体４１１の組み立て完成を示す、上面部４２１側から見た平面図。
【図１２】（ａ）保持材５００の一部である展開体５１１を示す平面図。（ｂ）保持材６００の一部である展開体６１１を示す平面図。
【考案を実施するための形態】
【００２２】  次に、本考案の実施形態である保持材１について説明する。
保持材１は、デコレーションケーキを保持する保持材である。
【００２３】  保持材１は、デコレーションケーキＡを最大収容寸法として、デコレーションケーキＢ、デコレーションケーキＣ程度の寸法・形状のものまで保持して、振動や衝撃を緩和し、移動を効果的に規制することが可能な寸法に設定している。
デコレーションケーキＡは、円筒形状であって、板紙で形成される帯状部材１００で周囲を円筒形状に囲んで包装されたもので、円筒の直径は約１７０ｍｍである。
デコレーションケーキＢは、円筒形状であって、板紙で形成された帯状部材１００で周囲を円筒形状に囲んで包装されたもので、円筒の直径は約１４０ｍｍである。
デコレーションケーキＣは、四角筒形状であって、板紙で形成された帯状部材１００で四角筒状に囲んで包装されたもので、四角筒の一辺が１２０ｍｍである。
保持材１に保持される物品は、物品そのものに限らず、包装された状態の物品をも含むものであり、本実施形態においてデコレーションケーキＡ、Ｂ、Ｃとは、このように包装された状態を指している。
説明にあたっては、デコレーションケーキＡを保持する場合を中心に説明する。
【００２４】  図１は保持材１の平面図であり、図４は保持材１で円筒形状のデコレーションケーキＡを保持した状態の斜視簡略図である。
保持材１は、図１に示す展開体１１が２枚と、展開体１１とは別の部材で形成する載置部５１とで構成される。
保持材１は、展開体１１を図２に示すように組み立て、デコレーションケーキＡを載置部５１に載せて、保持部２３で保持した状態で、外箱３に収容される。
本実施形態の保持材１の展開体１１は坪量３５０ｇ／ｍ２の板紙で形成している。また、載置部５１は坪量５５０ｇ／ｍ２の板紙で形成している。なお、板紙の他、段ボールや樹脂素材を用いた板状部材で形成してもよい。
【００２５】  保持材１は、図４、図５に示すように、それぞれ対向する４つの保持部２３によって載置部５１に載せたデコレーションケーキＡを保持する。
保持材１は、上面部２１と下面部３１の間に載置部５１を収容した状態で上面部２１から保持部２３が起立するものである。
【００２６】  図１に従って保持材１を構成する部分を説明する。展開体１１は、保持材１の内側となる面を紙面手前側として示している。載置部５１はデコレーションケーキＡを載せる面を紙面手前側として示している。また、破線は折線を示している。
【００２７】  まず、展開体１１について説明する。
展開体１１の上面部２１には、基部となる折曲部２２を介して保持部２３を有している。保持部２３は、デコレーションケーキＡを保持する部分を構成する。折曲部２２は保持部２３とは反対側に膨らむ湾曲形状に形成している。
保持部２３は、自由端に頂部２４と、この頂部２４から傾斜する傾斜部２５とで山形状を形成している。また、隣接する２つの保持部２３の隣接する傾斜部２５で谷部２６を形成している。なお、本実施形態では保持部２３が倒伏した状態で２つの保持部が接した状態で隣接しているが、「隣接する」とは、２つの保持部の間に空間がある場合をも含む概念として使用している。
【００２８】  上面部２１の保持部２３を有する側とは反対側の端縁には、折曲部を介して下面部３１を連設している。また、上面部２１の左右端縁には、折曲部を介して固定部（固定手段）４１を連設している。固定部（固定手段）４１は、組み立てた状態において上面部２１と下面部３１とを対向させた状態を固定する部分（手段）である。固定部（固定手段）４１の左右端には、係合部４２を形成している。
【００２９】  次に、載置部５１について説明する。
載置部５１は、デコレーションケーキＡを載せる部分を構成する。
載置部５１は、平板の略四角形状で、右側に取手を形成したトレーである。デコレーションケーキＡを載せる面には、ＰＰラミネート加工が施されている。店舗等では、作成したデコレーションケーキＡを載置部５１に載せて保管する。
【００３０】  次に、展開体１１の組み立てについて、図２に従って説明する。
まず、図２（ａ）に示すように、上面部２１と下面部３１との間の折曲部を谷折りして上面部２１に対して下面部３１を折り返し、下面部３１を上面部２１に重ねる。
さらに、図２（ｂ）に示すように、上面部２１と固定部（固定手段）４１との間の折曲部を谷折りして上面部２１に対して折り返し、固定部４１（固定手段）を下面部３１に重ねるとともに、係合部４２を係合して固定する。これにより、上面部２１と下面部３１は対向した状態で固定される。図２（ｃ）は、展開体１１の組み立てた状態を上面部２１側から見た平面図である。
なお、本実施形態では、固定部（固定手段）４１を用いて固定しているが、固定方法はこれに限定されず、テープでの固定や、接着剤による固定、差込片とスリットを形成して係合固定する等の方法を採用してもよい。
これにより、組み立て完成状態となる。
本実施の形態に係る展開体１１の組み立てでは、折目は全て谷折であり、固定する部分は、固定部４１の係合固定のみであるから、貼り作業が不要で製造コストを安価とすることができる
【００３１】  次に、デコレーションケーキＡの収容保持について説明する。
図３は、保持材１の設置の状態を示す斜視簡略図である。まず、図３（ａ）に示すように、デコレーションケーキＡを載置部５１の略中央に載せる。そして、図３（ｂ）に示すように、保持部２３を倒伏させたまま、上面部２１と下面部３１との間に、載置部５１の前側、後側をそれぞれ収容するように近づける。すると、頂部２４がデコレーションケーキＡの側部に当接してデコレーションケーキＡの側部を滑動し、さらに谷部２６がデコレーションケーキＡの側部を滑動して、スムーズに保持部２３が立ち上がる。そして、上面部２１と下面部３１との間に、載置部５１の前側、後側がそれぞれ収容される。このため、保持部２３を起立させる手間がなくなり、簡単な作業でデコレーションケーキＡを保持することができる。ただし、必ずしもこのような手順で保持部２３を起立させる必要はなく、予め保持部２３を立ち上げる作業を行ってから、上面部２１と下面部３１との間に、載置部５１の前側、後側をそれぞれ収容してもよい。
図４に示すように、載置部５１の前側、後側の端部を上面部２１と下面部２３との間に収容した状態で、保持部２３はデコレーションケーキＡに当接して起立し、対向する保持部２３間でデコレーションケーキを保持する。このとき、保持部２３の基部である折曲部２２は保持部２３とは反対側に膨らむ湾曲形状であるため、デコレーションケーキＡを保持する側に倒れる力が強く、デコレーションケーキＡを押圧して安定して保持している。
そして、保持材１及びデコレーションケーキＡはこの状態で外箱３に収容され、持ち運び、運送等される。
【００３２】  保持材１が円筒形状のデコレーションケーキＡを収容保持する場合、図５（ａ）（ｂ）に示すように、保持部２３はほぼ直立に近い状態でデコレーションケーキＡに当接して起立している。図５（ａ）は、保持材１がデコレーションケーキＡを保持した状態の正面簡略図であり、図５（ｂ）は、保持材１がデコレーションケーキＡを保持した状態の平面簡略図である。
この状態において、折曲部２２が保持部２３とは反対側に膨らむ湾曲形状であるため、保持部２３はデコレーションケーキＡを保持する側に倒れる力が強く、デコレーションケーキＡを押圧して安定して保持している。
【００３３】  デコレーションケーキＡよりも寸法の小さい円筒形状のデコレーションケーキＢを収容保持する場合、収容保持の手順はデコレーションケーキＡと同様であるため説明を省略するが、図６（ａ）（ｂ）に示すように、保持部２３はデコレーションケーキＡを保持する起立状態よりもデコレーションケーキＢ側に傾斜した起立状態でデコレーションケーキＢに当接して起立している。図６（ａ）は、保持材１がデコレーションケーキＢを保持した状態の正面簡略図であり、図６（ｂ）は、保持材１がデコレーションケーキＢを保持した状態の平面簡略図である。この状態であっても、折曲部２２が保持部２３とは反対側に膨らむ湾曲形状であるため、デコレーションケーキＢを保持する側に倒れる力が強く、デコレーションケーキＢを押圧して安定して保持している。
【００３４】  同様に、デコレーションケーキＡよりも寸法が小さく、四角筒形状であるデコレーションケーキＣを収容保持する場合であっても、収容保持の手順はデコレーションケーキＡと同様であるため説明を省略するが、図７（ａ）（ｂ）に示すように、保持部２３はデコレーションケーキＡを保持する起立状態よりもデコレーションケーキＣ側に傾斜した起立状態でデコレーションケーキＣの角部に当接して起立している。図７（ａ）は、保持材１がデコレーションケーキＣを保持した状態の正面簡略図であり、図７（ｂ）は、保持材１がデコレーションケーキＣを保持した状態の平面簡略図である。この状態であっても、折曲部２２が保持部２３とは反対側に膨らむ湾曲形状であるため、デコレーションケーキＣを保持する側に倒れる力が強く、デコレーションケーキＣを押圧して安定して保持している。
【００３５】  保持材１は、保持部２３がデコレーションケーキＡ、Ｂ、Ｃに対応した傾斜角度で当接して、デコレーションケーキＡ、Ｂ、Ｃを保持するものであり、デコレーションケーキのサイズや形状に柔軟に対応するものとなっている。
【００３６】  このように、本実施形態の保持材１は、板状部材である板紙で形成し、載置部５１と、下面部３１と、上面部２１と、上面部２１に基部を有し、基部から起倒自在な保持部２３と、下面部３１と上面部２１とを対向させた状態で固定する固定部（固定手段）４１と、を有する保持材１であって、載置部５１にデコレーションケーキＡ、Ｂ、Ｃのいずれかを載せ、４つの保持部２３を起立し対向させて、保持部２３間でデコレーションケーキを保持する保持材である。
【００３７】  このため、４つの保持部を起立し対向させるという簡単な作業で、デコレーションケーキＡ、Ｂ、Ｃを保持して振動や衝撃を緩和し、移動を規制して破損を防止することができる。さらに、保持部２３は起倒可能にデコレーションケーキＡ、Ｂ、Ｃを保持するため、収容する物品のサイズや形状に柔軟に対応することができる。
【００３８】  また、保持材１は、載置部５１を下面部３１と上面部２１との間に収容する。
【００３９】  このため、載置部５１を下面部３１と上面部２１との間に収容して保持部２３を起立し対向させるだけで簡単に、デコレーションケーキＡ、Ｂ、Ｃを保持することができる。
【００４０】  また、保持材１の基部は折曲部２２を有し、折曲部２２は、保持部２３とは反対側に膨らむ形状である。
【００４１】  このため、保持部２３は、デコレーションケーキＡ、Ｂ、Ｃを保持する側に倒れる力が強く、デコレーションケーキＡ、Ｂ、Ｃを押圧して保持しやすい。
【００４２】  また、保持材１を外箱３に収容して、デコレーションケーキを保持する。
【００４３】  このため、より一層、デコレーションケーキＡ、Ｂ、Ｃへの振動や衝撃を緩和し、移動を規制して破損を防止することができる。
【００４４】  また、保持材１は、保持部２３の自由端に、保持部２３が倒伏した状態で円筒形状のデコレーションケーキＡ、Ｂの側部に当接する頂部２４と、頂部２４から傾斜する傾斜部２５とで山形状を形成し、この保持部２３を隣接させ、隣接する傾斜部２５で谷部２６を形成する。
【００４５】  このため、保持部２３が倒伏した状態でデコレーションケーキＡ、Ｂの側部に当接させると、頂部２４から谷部２６へと円筒形状のデコレーションケーキＡの側部を滑動してスムーズに保持部２３が立ち上がるため、保持部２３を起立させる手間がなくなり、簡単な作業で物品を保持することができる。
【００４６】  また、デコレーションケーキＡ、Ｂ、Ｃは帯状部材で囲まれたケーキである。
【００４７】  このため、型崩れの防止が重要課題で、サイズや形状の種類が豊富であるケーキの持ち運びや運送において、特に有用である。
【００４８】  なお、本考案は、本実施形態に限定されるものではなく、本考案の意図する範囲において適宜設計変更可能である。例えば、以下に示す保持材１００、２００、３００、４００、５００、６００のような実施形態も本考案の意図する範囲である。なお、これらの保持材もまた、上述のデコレーションケーキＡ、Ｂ、Ｃ程度の寸法・形状のものまで保持して、振動や衝撃を緩和し、移動を効果的に規制することが可能な寸法に設定している。
説明にあたっては、デコレーションケーキＡを収容保持する場合について述べ、デコレーションケーキＢ、Ｃの収容保持については、デコレーションケーキＡと同様の手順であるため説明を省略する。
【００４９】  保持材１００について、図８を用いて説明する。図８（ａ）デコレーションケーキＡを保持材１００で保持した状態示す斜視簡略図であり、図８（ｂ）は保持材１００の一部である展開体１１１を示す平面図である。
保持材１００は、図８（ａ）（ｂ）に示すように、保持部１２３を前側と後側に各１つ対向する位置に設けて、デコレーションケーキＡを保持している。
載置部１５１については、保持材１の載置部５１と同様であるため説明を省略する。
また、展開体１１１の組み立てや保持材１００の設置についても保持材１と同様の手順であるため、説明を省略する。
この場合において、保持材１００の折曲部１２２は保持部１２３とは反対側に膨らんで湾曲しているため、保持部１２３もデコレーションケーキＡの側部に沿うように湾曲し、前後方向のみならず、左右方向への移動をも規制することができる。
【００５０】  保持材２００について、図９を用いて説明する。図９（ａ）はデコレーションケーキＡを保持材２００で保持した状態示す斜視簡略図であり、図９（ｂ）は保持材２００の展開体２１１を示す平面図である。
保持材２００は、図９（ａ）に示すように、保持部２２３を前後側に各２つ設けて対向させて、デコレーションケーキＡを保持している。また、載置部２５１を下面部２３１に設けている。展開体２１１の内面にはＰＰラミネート加工を施している。
図９（ｂ）に示す展開体２１１を組み立ててデコレーションケーキＡを保持するには、まず、載置部２５１の略中央にデコレーションケーキＡを載せ、下面部２３１（載置部２５１）と上面部２２１との間の折曲部を折り曲げて、上面部２２１を下面部２３１（載置部２５１）に対して折り返し、下面部２３１（載置部２５１）と上面部２２１とを重ねて対向させる。このとき、保持部２２３はデコレーションケーキＡに当接して、基部である折曲部２２２から起立する。さらに、下面部２３１（載置部２５１）と固定部（固定手段）２４１との間の折曲部を折り曲げて、固定部（固定手段）２４１を下面部２３１（載置部２５１）に対して折り返して上面部２２１の上に重ねる。そして、上面部２２１に形成したスリット２２７に係合部２４２を挿入して係止すれば、下面部２３１（載置部２５１）と上面部２２１とが対向した状態で固定され、デコレーションケーキＡが保持部２２３で保持される。
保持材２００では載置部２５１を下面部２３１に設けているため、対向する保持部２３間の距離を保ってデコレーションケーキＡを安定して保持することができる。
【００５１】  保持材３００について、図１０を用いて説明する。図１０（ａ）はデコレーションケーキＡを保持材３００で保持した状態示す斜視簡略図であり、図１０（ｂ）は載置部３５１を示す斜視簡略図であり、図１０（ｃ）は保持材３００の一部である展開体３１１を示す平面図である。
保持材３００は、図１０（ａ）に示すように、保持部３２３を前後側に各２つ設けて対向させて、デコレーションケーキＡを保持している。また、図１０（ｂ）に示すように、載置部３５１は、周縁に側部を有するトレー形状であり、デコレーションケーキＡを載せる面にはＰＰラミネート加工が施されている。また、図１０（ｃ）に示すように展開体３１１は、上面部３２１と下面部３３１との間に側面部３６１を、上面部３２１と固定部（固定手段３４１）との間に側面部３６２を設けている。このため、図１０（ａ）に示すように、折り曲げ組み立てられた展開体３１１は、上面部３２１と下面部３３１との間に、側部を有する載置部３５１を収容することができる。
展開体３１１を組み立てるには、まず、上面部３２１と側面部３６１との間の折曲部を谷折りして上面部３２１に対して側面部３６１を起立させる。次に、側面部３６１と折込部３６３との間の折曲部を谷折りして側面部３６１に対してアングル状に折り曲げる。さらに、側面部３６１と下面部３３１との間の折曲部を谷折りして側面部３３２に対して折り返し、上面部３２１と下面部３３１とを対向させる。また、上面部３２１と側面部３６２との間の折曲部を谷折りして、上面部３２１に対して側面部３６２を起立させる。次に、側面部３６２と固定部（固定手段）３４１との間の折曲部を折り曲げて、下面部３３１に固定部（固定手段）３４１を重ねるとともに、係合部３４２を係合して固定する。これにより、上面部３２１と下面部３３１は対向した状態で固定される。
【００５２】  保持材４００について、図１１を用いて説明する。図１１（ａ）は保持材４００の一部である展開体４１１を示す平面図、図１１（ｂ）は展開体４１１の組み立てた状態を示す、下面部４３１側から見た平面図、図１１（ｃ）は展開体４１１の組み立てた状態を示す、上面部４２１側から見た平面図である。
保持材４００は、載置部にデコレーションケーキＡを載せ、保持部３２３を前後側に各２つ設けて対向させて、デコレーションケーキＡを保持するものである（図示省略）。
載置部については、保持材１の載置部５１と同様であるため説明を省略する。
展開体４１１は、図１１（ａ）に示すように、上面部４２１の左右端に下面部４３１を設けている。
展開体４１１を組み立てるには、図１１（ｂ）に示すように、上面部４２１と左右の下面部４３１との間の折曲部を折り曲げて上面部４２１から下面部４３１を折り返し、上面部４２１と対向させて重ねる。そして、下面部４３１同士の重なり合う部分を固定部（固定手段）４４１として接着固定すれば、上面部４２１と下面部４３１とが対向した状態で固定することができる。
【００５３】  保持材５００については図１２（ａ）を用いて、保持材６００については図１２（ｂ）を用いて説明する。図１２（ａ）は、保持材５００の一部である展開体５１１を示す平面図であり、図１２（ｂ）は、保持材６００の一部である展開体６１１を示す平面図である。
保持材５００は、載置部にデコレーションケーキＡを載せ、保持部５２３を前後側に各２つ設けて対向させて、デコレーションケーキＡを保持するものである（図示省略）。また、保持材６００は、載置部にデコレーションケーキＡを載せ、保持部６２３を前後側に各２つ設けて対向させて、デコレーションケーキＡを保持するものである（図示省略）。
保持材５００、６００の載置部については保持材１の載置部５１と同様であるため説明を省略する。また、展開体５１１、６１１の組み立てや設置についても保持材１と同様の手順であるため、説明を省略する。
保持材５００は、図１２（ａ）に示すように、折曲部５２２を、保持部５２３とは反対側に膨らむ台形状に設けており、保持部５２３がデコレーションケーキＡを保持する側に倒れる力が強く、デコレーションケーキを押圧して保持しやすい。
保持材６００は、図１２（ｂ）に示すように、折曲部６２２を、保持部６２３とは反対側に膨らむくの状に設けており、保持部６２３がデコレーションケーキＡを保持する側に倒れる力が強く、デコレーションケーキＡを押圧して保持しやすい。
【００５４】  本考案の技術的範囲は、本明細書及び図面に記載した事項から明らかになる考案が真に意図する技術的思想の範囲全体に、広く及ぶものである。
【符号の説明】
【００５５】１・１００・２００・３００・４００・５００・６００      保持材
２      帯状部材
３      外箱
１１・１１１・２１１・３１１・４１１・５１１・６１１    展開体
２１・１２１・２２１・３２１・４２１・５２１・６２１    上面部
２２・１２２・２２２・３２２・４２２・５２２・６２２    折曲部（基部）
２３・１２３・２２３・３２３・４２３・５２３・６２３    保持部
２４・２２４・３２４・４２４・５２４・６２４    頂部
２５・２２５・３２５・４２５・５２５・６２５    傾斜部
２６・２２６・３２６・４２６・５２６・６２６    谷部
２２７  スリット
３１・１３１・２３１・３３１・４３１・５３１・６３１    下面部
３６１・３６２  側面部
３６３    折込部
４１・１４１・２４１・３４１・４４１・５４１・６４１    固定部（固定手段）
４２・２４２・３４２・５４２・６４２    係合部
５１・１５１・２５１・３５１・４５１・５５１・６５１  載置部
【図１】
0003230134.tif 000003
【図２】
0003230134.tif 000004
【図３】
0003230134.tif 000005
【図４】
0003230134.tif 000006
【図５】
0003230134.tif 000007
【図６】
0003230134.tif 000008
【図７】
0003230134.tif 000009
【図８】
0003230134.tif 000010
【図９】
0003230134.tif 000011
【図１０】
0003230134.tif 000012
【図１１】
0003230134.tif 000013
【図１２】
0003230134.tif 000014